(57)【特許請求の範囲】
【請求項１】
温水を貯溜する貯湯タンクと、
前記貯湯タンクを収容するとともに、前記貯湯タンクの下方に配置された底板を有する筐体と、
前記貯湯タンクに設けられ、前記筐体の前記底板を貫通して前記筐体の下方に延出された支持脚と、を具備し、
前記支持脚は、角部を有する山形鋼で構成されるとともに、前記角部が前記貯湯タンクの周面から突出した状態で前記貯湯タンクに固定され、
前記底板は、周端部に沿う立ち上り片部と、前記支持脚が貫通する孔と、前記孔の縁から前記底板の上面側に突出するように前記立ち上り片部との間に間隔を存して切起こされた切起し片部と、を有し、
前記支持脚の角部外面に前記切起し片部を合わせた状態で、前記支持脚と前記切起し片部とが取付け具を介して機械的に固定されるとともに、前記取付け具は、前記支持脚の内面の側から前記支持脚および前記切起し片部に挿入される貯湯式給湯機。
【請求項２】
温水を貯溜する貯湯タンクと、
前記貯湯タンクを収容するとともに、前記貯湯タンクの下方に配置された底板を有する筐体と、
前記貯湯タンクに設けられ、前記筐体の前記底板を貫通して前記筐体の下方に延出された支持脚と、を具備し、
前記支持脚は、角部を有する山形鋼で構成されるとともに、前記角部が前記貯湯タンクの周面から突出した状態で前記貯湯タンクに固定され、
前記底板は、周端部に沿う立ち上り片部と、前記支持脚が貫通する孔と、前記孔の縁から前記底板の下面側に突出するように切起こされた切起し片部と、を有し、
前記支持脚の角部外面に前記切起し片部を合わせた状態で、前記支持脚と前記切起し片部とが取付け具を介して機械的に固定されるとともに、前記取付け具は、前記支持脚の外面の側から前記支持脚および前記切起し片部に挿入される貯湯式給湯機。
【請求項３】
前記底板は、前記周端部から中心部に向かって下方に傾斜する傾斜面を有するとともに、前記支持脚が貫通する前記孔の周囲部分に前記周端部と同一高さの水平面を有する受け用凸部が設けられた請求項１又は請求項２に記載の貯湯式給湯機。
【請求項４】
前記支持脚と前記孔との間の隙間を埋めるシール材をさらに備えた請求項１又は請求項２に記載の貯湯式給湯機。
【発明の詳細な説明】
【技術分野】
【０００１】
本発明の実施形態は、加熱手段で加熱された高温水を貯湯タンクに貯溜し、タンク内の高温水と給水源の水を混合し設定温度の温水として給湯する貯湯式給湯機に関する。
【背景技術】
【０００２】
貯湯式給湯機は、夜間の廉価な深夜電力料金が適用される時間帯に、たとえばヒートポンプユニットである加熱手段を作動させて高温度の温水を作り、貯湯タンクに貯溜する。日中等に、貯湯タンクから高温水を取出すとともに給水管から導かれる水と混合し、設定温度の温水にした状態で、浴槽、厨房、浴室、洗面所へ給湯する。
【０００３】
ここで用いられる貯湯タンクは、筒体の上下端部に椀状の鏡体を溶接等の手段で一体化しており、前後左右および上下６面体の筐体で覆われている。貯湯タンクは、特に、直径と比較して上下軸方向寸法が長いので、地震による振動や揺れがあっても倒壊しないよう、万全の対策を立てなければならない。
【０００４】
筒体に取付けた脚部を、筐体を構成する底板を境にして２分割していたが、強度の低下や部品増加に伴うコスト高の問題があった。そこで、たとえば［特許文献１］は、ベース板に切り欠き部を設け、貯湯タンクの椀状底部を載置する載置部を形成した支持脚を貯湯タンクに取付け、この支持脚をベース板の切り欠き部に貫通させてなる。
【先行技術文献】
【特許文献】
【０００５】
【特許文献１】特開２０１３−８８０１１号公報
【発明の概要】
【発明が解決しようとする課題】
【０００６】
前述の技術では、支持脚が一体型となり、従来のように途中で分割されないので強度の向上を得られ、部品点数が少なくなり安価である、と記載されている。  
しかしながら、支持脚は、１枚の板体から所定長さで略コ字状に折曲するよう絞り加工し、一端部に貯湯タンクの椀状底部の形状に完全に合致する載置部を形成する必要があり、図では、さらに支持脚の両側縁に沿って折曲部が設けられている。ベース板には、支持脚に嵌合する切欠き部を設ける必要があり、この端縁にも折曲部が設けられている。
【０００７】
支持脚に設けられる載置部形状は、正しく貯湯タンクの椀状鏡体からなる底部の形状に合致しないと目的を満足しない。このような支持脚を１枚の板体から絞り加工により成形することは極めて面倒で手間がかかる。
【０００８】
本実施形態は、貯湯タンクの支持脚の強度の増大化を図り、しかも、構造の簡素化を得てコストの抑制に寄与するとともに、底板に支持脚を取り付ける作業を円滑に行なえる貯湯式給湯機を提供しようとするものである。
【課題を解決するための手段】
【０００９】
本実施形態の貯湯式給湯機は、温水を貯溜する貯湯タンクと、前記貯湯タンクを収容するとともに、前記貯湯タンクの側から滴下する水を受ける底板を有する筐体と、前記貯湯タンクに設けられ、前記筐体の前記底板を貫通して前記筐体の下方に延出された支持脚と、を備えている。
前記支持脚は、角部を有する山形鋼で構成されるとともに、前記角部が前記貯湯タンクの周面から突出した状態で前記貯湯タンクに固定されている。前記底板は、周端部に沿う立ち上り片部と、前記支持脚が貫通する孔と、前記孔の縁から前記底板の上面側に突出するように前記立ち上り片部との間に間隔を存して切起こされた切起し片部と、を有し、前記支持脚の角部外面に前記切起し片部を合わせた状態で、前記支持脚と前記切起し片部とが取付け具を介して機械的に固定されている。前記取付け具は、前記支持脚の内面の側から前記支持脚および前記切起し片部に挿入される。
【図面の簡単な説明】
【００１０】
【図１】本実施形態に係る、貯湯式給湯機の概略の構成図。
【図２】同実施形態に係る、貯湯式給湯機を構成する貯湯タンクを分解した概略の斜視図。
【図３】（Ａ）は、同実施形態に係る、貯湯タンクの支持構造を説明する全体の斜視図、（Ｂ）は、図３（Ａ）のＢ部を拡大した斜視図。
【図４】（Ａ）は、同実施形態に係る、底板の全体の斜視図、（Ｂ）は、図４（Ａ）のＢ部を拡大した斜視図。
【図５】同実施形態に係る、底板に支持脚を貫通して取付けた状態を示す斜視図。
【図６】（Ａ）は、同実施形態の変形例に係る、底板の全体の斜視図、（Ｂ）は、図６（Ａ）のＢ部を拡大した斜視図。
【図７】同実施形態の変形例に係る、底板に支持脚を貫通して取付けた状態を示す斜視図。
【図８】同実施形態の変形例に係る、シール材を取付けた支持脚の斜視図。
【図９】同実施形態の変形例に係る、シール材の平面図。
【発明を実施するための形態】
【００１１】
以下、図面を参照しながら、本実施形態について詳細に説明する。  
図１は、貯湯式給湯機の概略の構成図である。  
図中１は、温水を貯溜する貯湯タンク２を備えた貯湯タンクユニットである。図中３は、上記貯湯タンクユニット１と２本の連通管４ａ，４ｂを介して連通され、貯湯タンク２内の温水を加熱する加熱手段である、たとえばヒートポンプユニットである。
【００１２】
上記ヒートポンプユニット３には、圧縮機と、凝縮器である冷媒−水熱交換器と、減圧手段である電子膨張弁と、送風機による強制空冷式の蒸発器とが備えられ、これらは冷媒管を介してヒートポンプ式冷凍サイクル回路を構成するよう連通される。
【００１３】
さらにヒートポンプユニット３は、たとえば厨房に設置されるリモコン（遠隔操作盤）からの操作信号を受けて、上記圧縮機や電子膨張弁を制御するヒートポンプユニット３用の制御部を備えている。（全て図示しない）
一方の連通管４ａは、貯湯タンクユニット１に収容される貯湯タンク２の底部とヒートポンプユニット３とを連通していて、この中途部には循環ポンプが設けられる。他方の連通管４ｂは、貯湯タンク２の上部とヒートポンプユニット３とを連通しており、戻り用連通管４ｂを構成する。
【００１４】
貯湯タンク２底部には、図示しない給水源（たとえば水道管）と連通する給水管５が接続される。この給水管５の中途部に給水停止弁６が設けられていて、開閉制御することにより給水源から貯湯タンク２への給水と給水停止が可能である。
【００１５】
貯湯タンク２上部に出湯管７が接続されていて、この出湯管７は貯湯タンクユニット１から延出され、浴室の浴槽Ｓに対向して設けられる給湯栓８に接続される。出湯管７の端末部は分岐されていて、この分岐出湯管は、たとえば厨房室、洗面所、浴室等にそれぞれ設けられる給湯栓９に接続される。
【００１６】
上記出湯管７の中途部には、混合弁１０と、流量センサ１１と、混合湯温センサ１２が順次、設けられている。さらに上記混合弁１０には、上記給水管５における給水停止弁６と貯湯タンク２との間から分岐し、貯湯タンク２をバイパスして給水する給水バイパス管１３が接続される。
【００１７】
すなわち、混合弁１０は、それぞれの開度が制御可能な高温水接続口ａおよび給水接続口ｂとを備えている。上記出湯管７は高温水接続口ａに接続され、上記給水バイパス管１３は給水接続口ｂに接続される。
【００１８】
上記混合弁１０において、貯湯タンク２から出湯管７へ導かれる高温度の温水と、給水源から給水管５と給水バイパス管１３を介して導かれる水とが混合する。高温水接続口ａと給水接続口ｂに対する絞り制御により、設定温度の温水として導出できるようになっている。  
これら連通管４ａ、４ｂ、給水管５、出湯管７、および給水バイパス管１３を、配管部品Ｈと呼ぶ。
【００１９】
貯湯タンク２には、複数のタンク温度センサ１５が、貯湯タンク２の上下方向に所定の間隔を存して設けられている。それぞれのタンク温度センサ１５のオン−オフ信号により、貯湯タンク２内における貯溜量が分る。
【００２０】
この貯湯タンクユニット１には、制御部１６が設けられる。制御部１６は、タンク温度センサ１５等から検知信号を受けて演算をなし、上記給水停止弁６および混合弁１０へ制御信号を送るようになっている。
【００２１】
上記リモコン（図示しない）は、貯湯タンクユニット１の制御部１６とも接続されていて、貯湯式給湯機全体の制御を行う。具体的には、貯湯式給湯機の運転停止、給湯温度の設定、浴槽の湯はり量の設定、浴槽への湯はり開始を指示する湯はりスイッチおよび、各種運転モードの設定ができ、時刻や湯温などを表示する表示部を備えている。
【００２２】
このようにして構成される貯湯式給湯機であって、廉価な深夜料金時間帯になると、リモコンに設定された情報にもとづいて貯湯タンクユニット１用の制御部１６が翌日に必要な貯溜量を演算する。この情報が制御部１６からヒートポンプユニット３用の制御部へ送られ、圧縮機および循環ポンプの駆動が開始される。
【００２３】
循環ポンプの駆動により、貯湯タンク２の底部から取り出された温水が一方の連通管４ａを介してヒートポンプユニット３へ導かれる。ここで温水は、ヒートポンプ式冷凍サイクル回路を構成する冷媒−水熱交換器に導かれて加熱される。高温となった温水は、戻り用の他方の連通管４ｂを介して貯湯タンク２の上部に戻される。
【００２４】
貯湯タンク２とヒートポンプユニット３を温水が循環し、運転時間の経過とともに貯湯タンク２内に高温水が充満する。貯湯タンク２に設けられた貯湯温度センサもしくは、循環ポンプと水−冷媒熱交換器とを連通する往き用連通管４ａに設けられた熱交入口温度センサ（いずれも図示しない）が設定温度以上を検知する。
【００２５】
この検知信号が貯湯タンクユニット１用の制御部１６へ送られ、制御部１６はヒートポンプユニット３用の制御部へ加熱停止信号を送り、制御部は圧縮機と循環ポンプの駆動停止を制御する。貯湯タンク２には設定温度の高温水が満量状態で収容されて貯溜が終了し、日中等の給湯操作を待機する。
【００２６】
日中等に、たとえば厨房の給湯栓９を開放すると、このことを流量センサ１１が感知し給水停止弁６が開放されて給水源から水が給水管５を介して貯湯タンク２の底部へ導かれる。給水管５からの給水圧により貯湯タンク２の上部の高温水が出湯管７に押し上げられ、混合弁１０へ供給される。
【００２７】
一方、給水管５に導かれる水は給水バイパス管１３へ分流され、混合弁１０に導かれて貯湯タンク２から供給される高温水と混合する。温度低下した温水は流量センサ１１に導かれて流量が計測され、混合湯温センサ１２により温水の温度が検知される。
【００２８】
混合湯温センサ１２の検知信号が貯湯タンクユニット１制御用の制御部１６へ送られ、制御部１６は演算して制御信号を混合弁１０へ送る。混合弁１０における高温水接続口ａと給水接続口ｂ（もしくは、高温水接続口ａのみ）の開度量が制御され、設定温度の温水となって給湯栓９へ導かれ、給湯される。
【００２９】
図２は、貯湯タンクユニット１を分解した斜視図であり、ここでは一部の構成部品を省略している。  
貯湯タンクユニット１は、貯湯タンク２と、貯湯タンク２を収納する筐体２０と、電気部品箱２１と、配管部品取付け板２２および、ここでは図示しない配管部品と、保温材から構成される。
【００３０】
貯湯タンク２は、円筒状のタンク胴体２ａの上下端部に半球状（椀状）の鏡板２ｂを溶接してなり、この下端部には後述する支持脚２３が設けられる。タンク胴体２ａは、直径と比較して上下軸方向寸法が極めて長く、立位状態をなす。
【００３１】
このような貯湯タンク２の全周面を、保温材が被包する。特に、貯湯タンク２の前面と左右側面および背面に相当する位置に取付けられる保温材部分は、その裏面を貯湯タンク２の周面形状に合わせて形成されるが、保温材表面における上下中心軸に沿う部分は平坦状をなし、残り表面部分はタンク胴体２ａに対して同じ厚さの湾曲状をなす。
【００３２】
貯湯タンク２の上面に取付けられる保温材部分も、その裏面を貯湯タンク２の上端部である半球状の鏡板２ｂの形状に合わせて形成されるが、表面における中心部分は平坦状をなし、残りの表面部分は半球状の鏡板２ｂに対して同じ厚さに形成される。
貯湯タンク２の下部に取付けられる保温材部分は、貯湯タンク２の下端部である半球状の鏡板２ｂの形状に対して同じ厚さに形成される。
【００３３】
筐体２０は、前面パネル２０Ａと、左右側面パネル２０Ｂと、背面パネル２０Ｃと、上面パネル２０Ｄと、底板２０Ｅとの６面からなる直方体である。底板２０Ｅを除いて、周囲４面パネル２０Ａ〜２０Ｃおよび上面パネル２０Ｄは互いに平板状のものである。
【００３４】
特に、左右側面パネル２０Ｂと背面パネル２０Ｃおよび上面パネル２０Ｄは、保温材の先に説明した平坦状部分に密着して組み立てられる。換言すれば、貯湯タンク２のタンク胴体２ａの外周面と左右側面パネル２０Ｂおよび背面パネル２０Ｃとの間、および貯湯タンク２の上部の半球状の鏡板２ｂの表面と上面パネル２０Ｄとの間には、保温材が密に介在する状態となる。
【００３５】
また、前面パネル２０Ａと保温材の平坦部分とは間隙を有しているが、この間隙部分には上述した電気部品箱２１と、配管部品取付け板２２および配管部品Ｈが介在される。したがって、底板２０Ｅを除く貯湯タンク２の全周面には介在物が存在し、たとえ地震による揺れが生じても、筐体２０に対して貯湯タンク２のみが単独で揺れることはない。
【００３６】
底板２０Ｅは、貯湯タンク２から滴下するドレン水を集溜し、かつ排出し易いように、全周端部から中央部に向かって傾斜面となり、漏斗状に絞られる。なお、底板２０Ｅについての詳細は後述する。
【００３７】
図３（Ａ）は、貯湯タンク２の支持構造を説明する貯湯タンク２の斜視図であり、図３(Ｂ)は、その一部を拡大した斜視図である。
貯湯タンク２の下部周面には、等間隔に複数（３か所）の取付け座２５が設けられる。なお説明すると、取付け座２５は、両側端が貯湯タンク２の周面に上下軸方向に沿って、たとえば溶接手段により取付けられていて、両側端から互いに直角状に形成するよう、貯湯タンク２の周面から突出する。
【００３８】
そして、取付け座２５の直角状突出面には上下に複数（２こ）ずつの取付け用孔が設けられていて、それぞれの取付け座２５に支持脚２３が取付け具（ボルト）ｄを介して取付けられる。
【００３９】
支持脚２３は、断面が略Ｌ字状の鋼材である、たとえば等辺山形鋼（もしくは、不等辺山形鋼）が用いられていて、この上端部の角部外面が、貯湯タンク２の周面から突出する取付け座２５の内面に当接されている。
【００４０】
すなわち、支持脚２３の角部内面が貯湯タンク２の外周面に向かいあって配設されている。支持脚２３の上端部各面には複数のねじ孔が設けられていて、取付け具ｄが取付け座２５の取付け用孔を介して支持脚２３のねじ孔に螺挿されることにより取付けられる。
【００４１】
各支持脚２３は、貯湯タンク２の上下軸方向に沿って立位状態をなし、底板２０Ｅに設けられる孔部である切起し孔２６を貫通して、筐体２０の外部へ延出されている。この切起し孔２６は、支持脚２３の断面形状と略同一形状か、一回り大きな形状に形成されている。これにより、切起し孔２６と支持脚２３との間に形成される隙間は小さく、ネズミ等の小動物の侵入を防止することができる。
【００４２】
なお、底板２０Ｅの切起し加工にともなって、切起し孔２６とともに切起し片部２７が形成される。
【００４３】
支持脚２３の下端部には据付け座２８が、たとえば溶接手段により取付けられる。据付け座２８には、ここでは図示しない据付け地面に設けられるアンカーボルトが挿通する取付け用孔が設けられる。
【００４４】
貯湯タンク２の各取付け座２５に取付けられる支持脚２３は、全て底板２０Ｅの切起し孔２６を介して据付け地面まで一体に形成されるものである。従来のような、底板で分割されていた支持脚と比較して強度的に優れているうえに、部品点数が少なく、構造が簡素化する。
【００４５】
例えば、支持脚２３として用いられる、等辺山形鋼（もしくは、不等辺山形鋼）は、建築用部材等で用いられ剛性が高く強度的に優れているうえに、廉価でありコスト的に極めて有利である。板金を絞り加工して形成するものと比較し、購入品をほとんどそのまま利用すればよく、複雑な加工は不要である。
【００４６】
つぎに、底板２０Ｅについて詳述する。
図４（Ａ）は、底板２０Ｅの全体の斜視図。図４（Ｂ）は、底板２０Ｅの一部を拡大した斜視図である。
【００４７】
底板２０Ｅは、平面視で正方形状をなし、その周端部は上方に一体に折曲形成された立ち上り片部３０を有する。それぞれの立ち上り片部３０に、先に説明した前面パネル２０Ａと、左右側面パネル２０Ｂおよび背面パネル２０Ｃの下端部が取付け具を介して取付けられることになる。
【００４８】
前述したように底板２０Ｅは、周端部から中心部に向かって、立ち上り片部３０よりも低位になるように傾斜して絞り加工された傾斜面Ｋを有し、この中心部には排出孔３１が設けられる。この排出孔３１には、排出パイプ（図示しない）が取付けられる。
【００４９】
すなわち、貯湯タンク２の表面に付着し、保温材を介して滴下するドレン水および、何らかの理由で配管部品Ｈから水漏れ事故が生じた場合は、これら水を底板２０Ｅが受けて傾斜面Ｋに沿って流下させ中心部に集溜する。そして、底板２０Ｅは、集溜された水を中心部に設けられた排出孔３１から排出パイプを介して外部に排出する、いわゆるドレンパン機能を有する。
【００５０】
上記支持脚２３が挿通する切起し孔２６の周囲部分は、受け用凸部３２となっている。この受け用凸部３２は、底板２０Ｅの周端部である立ち上り片部３０に沿って設けられていて、立ち上り片部３０の下端部と同一高さの水平面に形成される。
【００５１】
このことから、ドレンパン機能を有する底板２０Ｅにおいて、たとえば配管部品Ｈからの水漏れがあり、底板２０Ｅの上に漏れた水が溜まった場合においても、受け用凸部３２が高い位置にあるので、切起し孔２６からの水漏れを防止する。
【００５２】
なお、切起し孔２６の加工にともなって形成される切起し片部２７は、底板２０Ｅの上面側に立ち上がり形成されるものとする。さらに、加工手段によっては、切起し片部２７を底板２０Ｅの下面側に切起し形成することも可能である。
【００５３】
図５は、図４に示す底板２０Ｅの切起し孔２６に支持脚２３を貫通し、ここでは図示しない切起し片部２７に支持脚２３を取付けた状態を示す斜視図である。
切起し孔２６から立ち上がり形成される切起し片部２７とは、わずかな間隔を有して立ち上がり片部３０が設けられることになる。切起し片部２７に取付け用孔を設け、支持脚２３にねじ孔を設けて、切起し片部２７の外面側から取付け具を取付けようとしても、立ち上がり片部３０が邪魔になって取付け用工具を水平姿勢に保持できず、取付けは困難である。
【００５４】
逆に、支持脚２３に取付け用孔を設け、切起し片部２７にねじ孔を設けて、図５に示すように、支持脚２３の内面側から取付け具ｅを挿入して取付ける。このとき、立ち上り片部３０は何らの支障とならず、取付け用工具を水平姿勢にして円滑に作業できる。
【００５５】
なお、切起し孔２６の加工にともなって形成される切起し片部２７は、必ずしも底板２０Ｅの上面側に得ることに限定されず、後述するようにしてもよい。
図６（Ａ）は、本実施形態の変形例に係る、底板２０Ｅ１の全体の斜視図であり、図６（Ｂ）は、底板２０Ｅ１の一部を拡大した斜視図である。
【００５６】
底板２０Ｅ１の全体形状は、先に説明したものと何ら変わりがない。受け用凸部３２に先に説明したものと同じ形状面積の切起し孔２６の加工が施され、同じ形状面積の切起し片部２７が設けられることも変わりがない。ただし、ここでは切起し片部２７が底板２０Ｅ１の下面側に突出して切起こされた状態を示している。
【００５７】
切起し孔２６に支持脚２３が挿通することも同様であるが、切起し片部２７が底板２０Ｅ１の下面側に突出するよう切起し加工されているので、取付け具ｅを用いての取付け作業は底板２０Ｅ１の下面で行うことになる。
【００５８】
図７は、図６に示す底板２０Ｅ１に支持脚２３を貫通して取付けた状態を示す斜視図である。
底板２０Ｅ１の下面側に突出する切起し片部２７に取付け用孔を設け、支持脚２３にねじ孔を設けて、切起し片部２７の外面側から取付け具ｅを挿入し、取付け作業を行う。底板２０Ｅ１の下面側には何らの突出物(障害物)も無いので、円滑に、速やかに取付け作業が行えることとなる。
【００５９】
なお、切起し孔２６に支持脚２３を挿通する構成であるが、底板２０Ｅ、２０Ｅ１は加工誤差を考慮して製作される。したがって、製作された底板２０Ｅ、２０Ｅ１によっては、支持脚２３に対して切起し孔２６が大きめに設けられてしまい、支持脚２３の全周面と切起し孔２６の全周端とは間隙を有することも有り得る。
【００６０】
このような場合は、たとえば配管部品Ｈから水漏れがあって、支持脚２３に沿って流下すると、水が支持脚２３と切起し孔２６との間の間隙から漏れ出てしまう。さらに、上記間隙から昆虫等の小動物が出入りすることも考えられる。
【００６１】
図８は、実施形態の変形例に係る、シール材３５を取付けた支持脚２３の斜視図であり、図９は、シール材３５の平面図である。
シール材３５は、たとえばスポンジ材等、柔軟で弾性を有する素材を用いることと、ある程度肉厚とする必要がある。そして、図９に示すように、外形は矩形状をなし、支持脚２３が挿通する挿通用孔部３６を設ける。挿通用孔部３６は、支持脚２３の断面形状をなすとともに、全体的に支持脚２３の断面形状よりも若干、小さい寸法とする。
【００６２】
下端部に据付け座２８を取付けた支持脚２３を底板２０Ｅの切起し孔２６に挿通し、支持脚２３の上端部からシール材３５の挿通用孔部３６を嵌合する。シール材３５は弾性材からなるので、無理なく弾性変形する。
【００６３】
この状態で、支持脚２３の上端部を貯湯タンク２の取付け座２５に取付ける。そして、図８に示すように、シール材３５を支持脚２３に押し込んで、底板２０Ｅの受け用凸部３２の上面に密着させる。
【００６４】
シール材３５の挿通用孔部３６は、支持脚２３の外面と内面である全周面に対して隙間なく密着し、支持脚２３と切起し孔２６との間の隙間が埋められる。さらに、シール材３５の下面が床板２０Ｅの受け用凸部３２の上面に隙間なく密着する。
【００６５】
したがって、たとえば配管部品Ｈに水漏れ事故が発生し、漏れた水が支持脚２３に沿って流下してきても、シール材３５が水を受け止める。シール材３５と底板２０Ｅの受け用凸部３２の上面との間に隙間が存在しないから、流下した水は確実に底板２０Ｅの上に導かれる。
上述したように、底板２０Ｅには排出孔３１が設けられ、排出パイプが接続されているので、底板２０Ｅの上に流下した水は円滑に外部に排出処理される。
【００６６】
また、昆虫等の小動物が据付け座２８から支持脚２３に沿って底板２０Ｅまで上がってきても、シール材３５で侵入を阻止される。底板２０Ｅの上および貯湯タンク２の下端部に小動物が巣を作ることはなく、衛生面においても極めて有利である。
【００６７】
なお、上述の実施形態は例として提示したものであり、実施形態の範囲を限定することは意図していない。この新規な実施形態は、その他の様々な形態で実施されることが可能であり、要旨を逸脱しない範囲で、種々の省略、置換え、変更を行うことができる。これら実施形態やその変形は、発明の範囲や要旨に含まれるとともに、特許請求の範囲に記載された発明とその均等の範囲に含まれる。
【符号の説明】
【００６８】
２…貯湯タンク、２０…筐体、２０Ｅ，２０Ｅ１…底板、２３…支持脚、２６…孔（切起し孔）、２７…切起し片部、３０…立ち上り片部、ｅ…取付け具。
【図１】
0006298365.tif 000002
【図２】
0006298365.tif 000003
【図３】
0006298365.tif 000004
【図４】
0006298365.tif 000005
【図５】
0006298365.tif 000006
【図６】
0006298365.tif 000007
【図７】
0006298365.tif 000008
【図８】
0006298365.tif 000009
【図９】
0006298365.tif 000010